(57)【要約】【課題】全体の照明輝度と範囲を大幅に向上できる曲面導光式照明装置の提供。【解決手段】本考案の曲面導光式照明装置は、主に曲面導光板、拡散シート、反射板から構成され、そのうち、曲面導光板の少なくとも一辺に複数の発光素子が設置され、前記曲面導光板のいずれか一側面に粗面が形成され、前記粗面が光を散射させてその進路を変化させ、外側面は光沢表面とするか、または複数のＶ型溝を形成することができ、これにより、導光板一側辺に位置する発光素子の発生する光源は、導光板内側の粗面により反射されて光の進路が変化され、導光板外側が曲面であるため、これら反射された光源が前記曲面により射出され、広角の照射面積を提供すると共に、さらに導光板外側に設置したＶ型溝と拡散シートにより、Ｖ型溝で光線を曲面導光板の外側面を被覆する拡散シートに反射し、反射後の光線の拡散角度を増加して、より広い照射面積を提供することができる。【選択図】図２
0003156238.tif 000002
【実用新案登録請求の範囲】
【請求項１】
曲面導光式照明装置であって、曲面導光板と、反射層を含み、前記曲面導光板の端辺に複数の発光素子が設置され、かつ前記曲面導光板のいずれか一側面に光の進路を変化させる反射区域が形成され、前記反射層が前記曲面導光板のいずれか一側面を被覆し、光源を反射することを特徴とする、曲面導光式照明装置。
【請求項２】
さらに前記曲面導光板の前記端辺に相対する端辺に複数の発光素子が設置されたことを特徴とする、請求項１に記載の曲面導光式照明装置。
【請求項３】
さらに前記曲面導光板の外側面に形成した複数のＶ型溝を含むことを特徴とする、請求項１に記載の曲面導光式照明装置。
【請求項４】
前記発光素子係が発光ダイオード（ＬＥＤ）であることを特徴とする、請求項１または２に記載の曲面導光式照明装置。
【請求項５】
前記反射区域が、粗面、凹点、ドットパターン区域のいずれかであることを特徴とする、請求項１に記載の曲面導光式照明装置。
【請求項６】
前記曲面導光板が透明または半透明のいずれかであることを特徴とする、請求項１に記載の曲面導光式照明装置。
【請求項７】
前記曲面導光板の外側面を拡散シートまたはプリズムシートのいずれかで被覆したことを特徴とする、請求項１に記載の曲面導光式照明装置。
【請求項８】
前記反射層が反射板であり、かつ前記曲面導光板のいずれか一側面を直接被覆したことを特徴とする、請求項１に記載の曲面導光式照明装置。
【請求項９】
前記反射層が、蒸着めっき/スパッタリングプロセスで薄型金属反射層を前記曲面導光板のいずれか一側面に形成して設けられたことを特徴とする、請求項１に記載の曲面導光式照明装置。
【考案の詳細な説明】
【技術分野】
【０００１】
本考案は導光板に関し、特に、全体の照明輝度と範囲を大幅に向上できる、曲面導光式照明装置に関する。
【背景技術】
【０００２】
図１に従来の直下型導光板を示す。この図からはっきりと分かるように、この照明装置１は拡散シート１０、配線板１２、発光ダイオード１４を含み、そのうち、前記配線板１２上に複数個の発光ダイオード１４が設置され、かつ前記発光ダイオード１４に対面する箇所に拡散シート１０が設置され、これにより前記発光ダイオード１４が発する光線が直接前記拡散シート１０に照射され、光線を外部に射出させて照明効果を達している。輝度を増加する必要があるときは、別途発光ダイオード１４の数量がより多い配線板に交換すれば、高輝度照明の効果を達することができる。
【０００３】
しかしながら、上述の直下型導光板は使用時に次のような問題と欠点が確実に存在し、改良が必要である。
１、     
このような構造の発光ダイオード１４は数量が全体の照明の輝度に影響する。
２、     
このような照明構造は直下型照明であるため、発光ダイオード１４の配置位置が非対称または不均等であると、光線が不均一になる状況が発生し、使用者に１個１個のＬＥＤ発光点が見え、ＬＥＤとＬＥＤの間の輝度が低くなり、不均一な光線を形成する。
３、     
発光ダイオード１４が照射する光線は直接照射式の光源であるため、光源が照らす面積が相対して小さく、照明範囲を拡大することができない。
【０００４】
このため、いかに上述の従来の問題と欠点を解決するかが、本考案の考案者と関連産業に従事する関連企業が研究と改善を図る方向性である。
【考案の概要】
【考案が解決しようとする課題】
【０００５】
本考案の考案者は上述の欠点に鑑みて、関連資料を収集し、多方面での評価と考慮を経て、かつ関連産業において蓄積した長年の経験に基づき試作と修正を重ね、ついにこの全体の照明輝度と範囲を大幅に向上できる曲面導光式照明装置の実用新案の設計に至った。
【０００６】
本考案の第１の目的は、曲面導光式照明装置が主に曲面導光板、拡散シート、反射板から構成され、そのうち、前記曲面導光板は少なくとも一端辺に複数の発光素子が設置され、かつ、前記曲面導光板のいずれか一側面に光線の進路を変化させる粗面が形成され、外側面に複数のＶ型溝が形成され、これにより、曲面導光板の内側面を被覆する反射層が発光素子からの光線を受けると、粗い反射区域が光線の進路を変化させ、これら反射された光線が前記曲面から射出され、広角の照射面積を提供すると共に、さらにＶ型溝を利用して光線を曲面導光板の外側面を被覆する拡散シートに反射し、反射後の光線の拡散角度を増加して、より広い照射面積を提供することができる、曲面導光式照明装置を提供することにある。
【０００７】
本考案の第２の目的は、曲面を利用して照明範囲を増加するため、最も少ない発光ダイオード（ＬＥＤ）で最大の照明効果を達することができる、曲面導光式照明装置を提供することにある。
【０００８】
本考案の第３の目的は、反射区域を利用して発光ダイオード（ＬＥＤ）の光線を均一に分布させ、照明の輝度を向上できる、曲面導光式照明装置を提供することにある。
【０００９】
本考案の第４の目的は、反射区域の密度が徐々に増加することで光線の進路を変化させ、発光輝度と角度を制御できる、曲面導光式照明装置を提供することにある。
【課題を解決するための手段】
【００１０】
本考案の曲面導光式照明装置は、主に曲面導光板、拡散シート、反射板から構成され、そのうち、曲面導光板の少なくとも一端辺に複数の発光素子が設置され、前記曲面導光板のいずれか一側面に粗面が形成され、前記粗面が光を散射させてその進路を変化させ、外側面は光沢表面とするか、または複数のＶ型溝を形成することができ、これにより、導光板一側辺に位置する発光素子の発生する光源は、導光板内側の粗面により反射されて光の進路が変化され、導光板外側が曲面であるため、これら反射された光源が前記曲面により射出され、広角の照射面積を提供すると共に、さらに導光板外側に設置したＶ型溝と拡散シートにより、Ｖ型溝で光線を曲面導光板の外側面を被覆する拡散シートに反射し、反射後の光線の拡散角度を増加して、より広い照射面積を提供することができる。
【図面の簡単な説明】
【００１１】
【図１】従来の直下型導光板の断面図である。
【図２】本考案の曲面導光板の両側に複数のＬＥＤを設置した状態の立体図である。
【図２Ａ】図２の立体分解図である。
【図３】本考案の図２の構造の光線の進路を示す断面図である。
【図４】本考案の別の実施例の曲面導光板の二端にＬＥＤを設置し、曲面導光板の外側面に拡散シートを設置した状態の立体分解図である。
【図５】本考案の図４の構造の光線の進路を示す断面図である。
【図６】本考案のさらに別の実施例の曲面導光板の外側面にＶ型溝を備えた構造を示す立体図である。
【図７】本考案の図６の曲面導光板の外側面にＶ型溝を備えた導光板の立体分解図である。
【図８】図７のＶ型溝の位置を変えた構造を示す立体図である。
【考案を実施するための形態】
【００１２】
上述の目的と効果を達するため、本考案が採用する技術手段と構造について、本考案の最良の実施例を図面に示し、その特徴と機能を以下で詳細に説明する。
【実施例１】
【００１３】
図２、図２Ａ、図３に本考案の曲面導光板の両側に設置された複数のＬＥＤの立体図、図２の立体分解図、図２の構造の光線進路を示す断面図をそれぞれ示す。これらの図からはっきりと分かるように、本考案の曲面導光式照明装置は、この導光構造体２が主に曲面導光板２０（例：透明または半透明）及び反射層２２（例：反射板）から構成され、そのうち、前記曲面導光板２０は側辺に複数の発光素子２４(ＬＥＤ)が設置され、かつ前記曲面導光板２０のいずれか一側面に光線進路を変化させるための反射区域２０２（例：粗面、凹点、ドットパターン区域など）を形成し、また前記曲面導光板２０内側面の反射区域２０２上を反射層２２で被覆して、反射光源を提供する。前記反射層２２は蒸着めっき／スパッタリングプロセスで薄型金属反射層を形成し、これにより、発光素子２４が発光すると、光線は曲面導光板２０内側面の反射区域２０２の密度が徐々に増加するのに伴って光の進路が変化するため、発光輝度と角度を制御することができ、さらに反射層２２により光線全体の反射率を向上し、光線を増加して輝度を高め、最大の照明効果を達することができる。
【実施例２】
【００１４】
図４と図５に本考案の別の実施例の曲面導光板の外側面に拡散シートを設置した状態の立体分解図と図４の構造の光線進路を表す断面図を示す。これらの図からはっきりと分かるように、発光素子２４ａが前記曲面導光板２０ａの二端辺に設置されたものを例としたとき、発光素子２４ａが発光すると、光線は前記曲面導光板２０ａのいずれか一側面の反射区域２０２ａの密度が徐々に増加するのに伴って光の進路が変化され、発光輝度と角度を制御することができ、さらに反射層２２ａにより光線全体の反射率を向上し、光線を増加して輝度を高めることができる。
【００１５】
さらに、前記曲面導光板２０ａの外側面を拡散シート２６ａまたはプリズムシート２８ａのいずれかで被覆する。ここでは拡散シート２６ａを例とすると、反射完了後の光線は、曲面導光板２０ａにより屈折されて前記拡散シート２６ａに照射され、前記拡散シート２６ａにより光線の照射範囲が増加される。上述の曲面導光板２０ａの透光性が射出される光線の多さを決定し、明暗度を制御できるため、拡散シート２６ａを利用して照明範囲を増加でき、これにより最も少ない発光素子２４ａ（ＬＥＤ）を使用して最大の照明効果を達することができる。また、前記曲面導光板２０ａの内側面の反射区域が発光素子２４ａの光線を均一に分布させ、輝度を高めることができる。
【実施例３】
【００１６】
図６、図７、図８に本考案のさらに別の実施例の曲面導光板の外側面にＶ型溝を備えた構造を示す立体図、図６の曲面導光板の外側面にＶ型溝を備えた導光板の立体分解図、図７のＶ型溝の位置を変えた構造の立体図をそれぞれ示す。これらの図からはっきりと分かるように、前記曲面導光板２０ｂの外側面に縦方向または横方向に複数のＶ型溝２０４ｂを形成し、曲面導光板２０ｂの一端辺の発光素子２４ｂが発光すると、光線は前記曲面導光板２０ｂの内側面のいずれか１つの反射区域２０２ｂの密度が徐々に増加するのに伴って光の進路が変化され、発光輝度と角度を制御することができ、さらに反射層２２ｂにより光線全体の反射率を向上し、光線を増加して輝度を高めることができる。
【００１７】
反射完了後の光線は、曲面導光板２０ｂの外側面上のＶ型溝２０４ｂを利用して再度反射されて再度輝度が向上され、かつ反射後の光線が拡散シート２６ｂに入射し、拡散シート２６ｂにより光線の照射範囲が増加される。上述の曲面導光板２０ｂの透光性が射出される光線の多さを決定し、明暗度を制御できるため、拡散シート２６ｂを利用して照明範囲を増加でき、これにより最も少ない発光素子２４ｂ（発光ダイオード）を使用して最大の照明効果を達することができる。また、前記曲面導光板２０ｂの内側面の反射区域が発光素子２４ｂの光線を均一に分布させ、輝度を高めることができる。
【００１８】
以上の説明は本考案の最良の実施例に基づいた説明であり、本考案の特許範囲を限定するものではなく、本考案の明細書及び図面の内容を運用した簡易な修飾や同等効果の構造変化はすべて本考案の特許範囲内に含まれる。
【００１９】
上述をまとめると、本考案の曲面導光式照明装置は使用時に確実にその効果と目的を達することができるため、本考案は実用性に優れた創作であり、実用新案登録の出願要件を満たしているため、法に基づきここに出願を提出するものである。
【符号の説明】
【００２０】
１        照明装置
１０      拡散シート
１２      配線板
１４      発光ダイオード
２        導光構造体
２０、２０ａ、２０ｂ    曲面導光板
２０２、２０２ａ、２０２ｂ    反射区域
２０４ｂ    Ｖ型溝
２２、２２ａ、２２ｂ    反射層
２４、２４ａ、２４ｂ    発光素子
２６ａ、２６ｂ    拡散シート
２８ａ    プリズムシート
【図１】
0003156238.tif 000003
【図２】
0003156238.tif 000004
【図２Ａ】
0003156238.tif 000005
【図３】
0003156238.tif 000006
【図４】
0003156238.tif 000007
【図５】
0003156238.tif 000008
【図６】
0003156238.tif 000009
【図７】
0003156238.tif 000010
【図８】
0003156238.tif 000011
【手続補正書】
【提出日】平成21年10月16日(2009.10.16)
【手続補正１】
【補正対象書類名】実用新案登録請求の範囲
【補正対象項目名】請求項４
【補正方法】変更
【補正の内容】
【請求項４】
前記発光素子が発光ダイオード（ＬＥＤ）であることを特徴とする、請求項１または２
に記載の曲面導光式照明装置。